(57)【要約】【課題】気体や空気を除去するための電磁弁を必要とせず、しかも薬剤が系外に排出されることを防止しつつ薬剤の移送を行うことができる定量ポンプの運転装置を提供することである。【解決手段】所定量の移動流体を吐出する通常時ストローク量で定量ポンプ１１を駆動する通常時駆動手段２１と、通常時ストローク量より大きい予め定めた不具合時ストローク量で定量ポンプ１１を駆動する不具合時駆動手段２２とを備え、気体が発生しやすい移動流体を移送する定量ポンプを運転するにあたり、起動制御手段２０は、定量ポンプの起動時には不具合時駆動手段２２を動作させ、その後に通常時駆動手段２１を動作させる。【選択図】  図１
2012207571.tif 000002
【特許請求の範囲】
【請求項１】
気体が発生しやすい移動流体を移送する定量ポンプを運転する定量ポンプの運転装置において、所定量の移動流体を吐出する通常時ストローク量で前記定量ポンプを駆動する通常時駆動手段と、前記通常時ストローク量より大きい予め定めた不具合時ストローク量で前記定量ポンプを駆動する不具合時駆動手段と、前記定量ポンプの起動時には前記不具合時駆動手段を動作させその後に前記通常時駆動手段を動作させる起動制御手段とを備えたことを特徴とする定量ポンプの運転装置。
【請求項２】
気体が発生しやすい移動流体を移送する定量ポンプを運転する定量ポンプの運転装置において、所定量の移動流体を吐出する通常時ストローク量で前記定量ポンプを駆動する通常時駆動手段と、前記通常時ストローク量より大きい予め定めた不具合時ストローク量で前記定量ポンプを駆動する不具合時駆動手段と、前記定量ポンプの吐出圧力を検出する吐出圧力検出器と、前記定量ポンプの起動時には前記通常時起動手段を動作させ前記吐出圧力検出器で検出された吐出圧力が所定圧力未満であるときは前記不具合時駆動手段を動作させその後に前記通常時駆動手段を動作させる起動制御手段とを備えたことを特徴とする定量ポンプの運転装置。
【請求項３】
前記吐出圧力検出器に代えて、前記定量ポンプを駆動する電動機の駆動電流を検出する電流検出器を設け、前記起動制御手段は、前記電流検出器で検出された駆動電流が所定電流未満であるときは前記不具合時駆動手段を動作させることを特徴とする請求項２記載の定量ポンプの運転装置。
【請求項４】
気体が発生しやすい移動流体を移送する定量ポンプを運転する定量ポンプの運転装置において、所定量の移動流体を吐出する通常時ストローク量で前記定量ポンプを駆動する通常時駆動手段と、前記通常時ストローク量を段階的に微増させた可変ストローク量で前記定量ポンプを駆動する可変駆動手段と、前記定量ポンプの吐出圧力を検出する吐出圧力検出器と、前記定量ポンプの起動時には前記通常時起動手段を動作させ前記吐出圧力検出器で検出された吐出圧力が所定圧力未満であるときは前記吐出圧力検出器で検出された吐出圧力が所定圧力以上となるまで前記可変駆動手段を動作させその後に前記通常時駆動手段を動作させる起動制御手段とを備えたことを特徴とする定量ポンプの運転装置。
【請求項５】
前記吐出圧力検出器に代えて、前記定量ポンプの駆動電流を検出する電流検出器を設け、前記起動制御手段は、前記電流検出器で検出された駆動電流が所定電流未満であるときは前記可変駆動手段を動作させることを特徴とする請求項４記載の定量ポンプの運転装置。
【発明の詳細な説明】
【技術分野】
【０００１】
本発明は、気体が発生しやすい移動流体を移送する定量ポンプを運転する定量ポンプの運転装置に関する。
【背景技術】
【０００２】
例えば、水処理設備においては、水処理のために薬剤タンクに貯蔵された薬剤を定量ポンプで水処理系統の配管に移送し注入するようにしている。薬剤が次亜塩素酸ソーダ溶液のように気体が発生しやすい移動流体である場合には、定量ポンプのヘッド内や吐出通路内に気体が溜り適切なポンプ圧縮動作ができなくなることがある。また、吸込口側で薬剤に空気が混入した場合も同様に、適切なポンプ圧縮動作ができなくなり薬剤の移送ができなくなる。そこで、定量ポンプのヘッド内のエア抜きを行うようにしている。
【０００３】
ここで、ポンプ本体の駆動状態及び流体の吐出状態と、ポンプヘッドの吐出口側の流体の流れとを比較し、両者の出力レベルが異なっているときは、ポンプヘッドの吐出口側の配管系に設置されたエア抜き電磁弁を自動的に開閉制御し、移送流体の性質により左右されることなく自動的にエア抜きを行なうことができるようにしたものがある（例えば、特許文献１参照）。
【０００４】
また、往復ポンプの吐出口から薬注管との間に、制御回路に接続した流れ検知器及び気泡抜き用電磁弁を設け、液体の流れ停止が検出されると、制御回路により気泡抜き用電磁弁を開弁して往復ポンプ内の気泡を除去するようにしたものがある（例えば、特許文献２参照）。
【先行技術文献】
【特許文献】
【０００５】
【特許文献１】特開平５−６００６１号公報
【特許文献２】特開２００１−２０７９７２号公報
【発明の概要】
【発明が解決しようとする課題】
【０００６】
しかし、従来のものでは、気体や空気を除去するための電磁弁が必要であり、また、気体や空気を除去した際に薬剤が系外に排出されるのを防止するための対策が必要となりコスト高となる。
【０００７】
本発明の目的は、気体や空気を除去するための電磁弁を必要とせず、しかも薬剤が系外に排出されることを防止しつつ薬剤の移送を行うことができる定量ポンプの運転装置を提供することである。
【課題を解決するための手段】
【０００８】
請求項１の発明に係る定量ポンプの運転装置は、気体が発生しやすい移動流体を移送する定量ポンプを運転する定量ポンプの運転装置において、所定量の移動流体を吐出する通常時ストローク量で前記定量ポンプを駆動する通常時駆動手段と、前記通常時ストローク量より大きい予め定めた不具合時ストローク量で前記定量ポンプを駆動する不具合時駆動手段と、前記定量ポンプの起動時には前記不具合時駆動手段を動作させその後に前記通常時駆動手段を動作させる起動制御手段とを備えたことを特徴とする。
【０００９】
請求項２の発明に係る定量ポンプの運転装置は、気体が発生しやすい移動流体を移送する定量ポンプを運転する定量ポンプの運転装置において、所定量の移動流体を吐出する通常時ストローク量で前記定量ポンプを駆動する通常時駆動手段と、前記通常時ストローク量より大きい予め定めた不具合時ストローク量で前記定量ポンプを駆動する不具合時駆動手段と、前記定量ポンプの吐出圧力を検出する吐出圧力検出器と、前記定量ポンプの起動時には前記通常時起動手段を動作させ前記吐出圧力検出器で検出された吐出圧力が所定圧力未満であるときは前記不具合時駆動手段を動作させその後に前記通常時駆動手段を動作させる起動制御手段とを備えたことを特徴とする。
【００１０】
請求項３の発明に係る定量ポンプの運転装置は、請求項２の発明において、前記吐出圧力検出器に代えて、前記定量ポンプを駆動する電動機の駆動電流を検出する電流検出器を設け、前記起動制御手段は、前記電流検出器で検出された駆動電流が所定電流未満であるときは前記不具合時駆動手段を動作させることを特徴とする。
【００１１】
請求項４の発明に係る定量ポンプの運転装置は、気体が発生しやすい移動流体を移送する定量ポンプを運転する定量ポンプの運転装置において、所定量の移動流体を吐出する通常時ストローク量で前記定量ポンプを駆動する通常時駆動手段と、前記通常時ストローク量を段階的に微増させた可変ストローク量で前記定量ポンプを駆動する可変駆動手段と、前記定量ポンプの吐出圧力を検出する吐出圧力検出器と、前記定量ポンプの起動時には前記通常時起動手段を動作させ前記吐出圧力検出器で検出された吐出圧力が所定圧力未満であるときは前記吐出圧力検出器で検出された吐出圧力が所定圧力以上となるまで前記可変駆動手段を動作させその後に前記通常時駆動手段を動作させる起動制御手段とを備えたことを特徴とする。
【００１２】
請求項５の発明に係る定量ポンプの運転装置は、請求項４の発明において、前記吐出圧力検出器に代えて、前記定量ポンプの駆動電流を検出する電流検出器を設け、前記起動制御手段は、前記電流検出器で検出された駆動電流が所定電流未満であるときは前記可変駆動手段を動作させることを特徴とする。
【発明の効果】
【００１３】
請求項１の発明によれば、定量ポンプの起動時には通常時ストローク量より大きい予め定めた不具合時ストローク量で定量ポンプを駆動して、起動時だけ一時的に定量ポンプの送出量を多くし、薬剤である移動流体内に気体や空気が含まれているときは移送先の系統に気体や空気も一緒に送ってしまうので、気体や空気を除去するための電磁弁を必要とせず、しかも薬剤が系外に排出されることを防止できる。
【００１４】
請求項２の発明によれば、定量ポンプの起動時に通常時ストローク量で駆動し、定量ポンプの吐出圧力が所定圧力未満であるときは、通常時ストローク量より大きい予め定めた不具合時ストローク量で定量ポンプを駆動するので、気体や空気が移動流体に含まれているときだけ不具合時ストローク量で駆動できる。従って、気体や空気が移動流体に含まれていないときに無駄に薬剤を移送先の系統に移送することを防止できる。
【００１５】
請求項３の発明によれば、定量ポンプの吐出圧に代えて、定量ポンプを駆動する電動機の駆動電流が所定電流未満であるときに不具合時ストローク量で定量ポンプを駆動するので、定量ポンプの駆動状態に応じて不具合時ストローク量での駆動ができる。
【００１６】
請求項４の発明によれば、定量ポンプの起動時に通常時ストローク量で駆動し、定量ポンプの吐出圧力が所定圧力未満であるときは、定量ポンプの吐出圧力が所定圧力以上となるまで通常時ストローク量を段階的に微増させた可変ストローク量で定量ポンプを駆動するので、移動流体に含まれた気体や空気の量に応じて定量ポンプの吐出圧力が所定圧力なるように運転できる。従って無駄に薬剤を移送先の系統に移送することを防止できる。
【００１７】
請求項５の発明によれば、定量ポンプの吐出圧に代えて、定量ポンプの駆動電流が所定電流未満であるときに不具合時ストローク量で定量ポンプを駆動するので、請求項４の発明に効果に加え、定量ポンプの駆動状態に応じて不具合時ストローク量での駆動ができる。
【図面の簡単な説明】
【００１８】
【図１】本発明の第１の実施形態に係る定量ポンプの運転装置の一例の構成図。
【図２】本発明の第１実施形態における制御装置の運転制御による定量ポンプのストローク量の変化の一例の説明図。
【図３】本発明の第２の実施形態に係る定量ポンプの運転装置の一例の構成図。
【図４】本発明の第２実施形態における制御装置の運転制御による定量ポンプのストローク量の変化の一例の説明図。
【図５】本発明の第２実施形態における制御装置の運転制御による定量ポンプのストローク量の変化の他の一例の説明図。
【図６】本発明の第２の実施形態に係る定量ポンプの運転装置の他の一例の構成図。
【図７】本発明の第３の実施形態に係る定量ポンプの運転装置の一例の構成図。
【図８】本発明の第３実施形態における制御装置の運転制御による定量ポンプのストローク量の変化の一例の説明図。
【図９】本発明の第３の実施形態に係る定量ポンプの運転装置の他の一例の構成図。
【発明を実施するための形態】
【００１９】
以下、本発明の実施形態を説明する。図１は本発明の第１の実施形態に係る定量ポンプの運転装置の一例の構成図である。定量ポンプ１１は電動機１２で駆動される。定量ポンプ１１が駆動されると、薬剤タンク１３に貯蔵された薬剤は、配管１４を通り定量ポンプ１１の吸込口１５に吸い込まれ、吐出口１６から移送先の系統への送り出し配管１７に送り出される。
【００２０】
制御装置１８は、操作卓１９からの起動指令に基づき、定量ポンプ１１の電動機１２に駆動指令を出力して定量ポンプ１１を運転制御するものである。制御装置１８は、起動制御手段２０、通常時駆動手段２１、不具合時起動手段２２を有し、起動制御手段２０は通常時駆動手段２１と不具合時駆動手段２２とを切り替えて定量ポンプ１１を運転制御する。
【００２１】
操作卓１９からの起動指令は、制御装置１８の起動制御手段２０に入力される。起動制御手段２０は、操作卓１９からの起動指令を入力すると、まず不具合時駆動手段２２を起動し、その後に通常時駆動手段２１に切り替える。
【００２２】
通常時駆動手段２１は、定量ポンプ１１のストローク量が予め定めた通常時ストローク量となるように定量ポンプ１１を駆動するものである。通常時ストローク量は、薬剤に気体や空気が含まれていない場合に所定量の薬剤を吐出できるストローク量である。従って、通常時駆動手段２１は、薬剤に気体や空気が含まれていない場合、つまり、所定量の薬剤を移送先の系統に安定的に移送している状態のときに動作することになる。
【００２３】
一方、不具合時駆動手段２２は、定量ポンプ１１のストローク量が予め定めた不具合時ストローク量となるように定量ポンプ１１を駆動するものである。不具合時ストローク量は、通常時ストローク量より大きい予め定めたストローク量であり、薬剤に気体や空気が含まれている場合であっても、その気体や空気も一緒に薬剤を吐出できるだけのストローク量である。従って、不具合時駆動手段２２は、薬剤に気体や空気が含まれている場合に、定量ポンプ１１を運転制御するものである。通常、薬剤に気体や空気が含まれる状態になるのは、定量ポンプ１１の起動時であるので、不具合時駆動手段２２は、定量ポンプ１１の起動時に動作することになる。
【００２４】
一般に定量ポンプ１１のストローク量はポンプ容量と必要な薬剤移送量の関係に応じて設定されるが、ポンプ容量に対して薬剤移送量が十分で不具合時ストローク量以上のストローク量であれば薬剤に気体や空気が含まれていても一緒に吐出出来るため問題ないが、ポンプ容量に対して薬剤移送量が少なく通常時ストローク量が少なくなるほど、気体や空気を吐出しづらくなる。
【００２５】
図２は、第１実施形態における制御装置１８の運転制御による定量ポンプ１１のストローク量の変化の一例の説明図である。いま、時点ｔ１で操作卓１９から定量ポンプ１１の起動指令があったとすると、起動制御手段２０は、まず、不具合時駆動手段２２を起動する。従って、不具合時駆動手段２２により定量ポンプ１１のストローク量は不具合時ストローク量Ｓ１となり、定量ポンプ１１のストローク量は通常時ストローク量Ｓ０より大きく操作される。
【００２６】
そして、起動制御手段２０は、次の運転制御タイミングの時点ｔ２において、不具合時駆動手段２２から通常時駆動手段２１に運転制御を切り替える。これにより、定量ポンプ１１のストローク量は、時点ｔ２以降は、通常時ストローク量Ｓ０に維持される。
【００２７】
ここで、不具合時ストローク量Ｓ１は、前述したように、薬剤に気体や空気が含まれている場合であっても、その気体や空気も一緒に薬剤を吐出できるだけのストローク量であるので、薬剤に気体や空気が含まれている場合であっても薬剤を吐出できる。従って、時点ｔ２においては、定量ポンプ１１のストローク量を通常時ストロークＳ０にしたとしても、薬剤の吐出は継続して行われることになる。
【００２８】
なお、薬剤に気体や空気が含まれていない場合には、不具合時ストローク量Ｓ１は通常時ストローク量Ｓ０より大きいので、薬剤がその分だけ無駄に移送先の系統に移送されることになるが、起動時の１サイクル分だけであるので特に問題はない。また、ポンプ容量に比べて薬剤移送量が少なく、通常時ストローク量Ｓ０と不具合時ストローク量Ｓ１の差が大きい場合などは、通常時ストローク量S０より多く注入された分だけ、その後の数サイクル分にわたり通常ストローク量Ｓ０より少なめに移送し調整するようにしてもよい。
【００２９】
第１実施形態によれば、定量ポンプ１１の起動時には通常時ストローク量Ｓ０より大きい予め定めた不具合時ストローク量Ｓ１で定量ポンプ１１を駆動して、定量ポンプ１１の起動時だけ一時的に送出量を多くするので、薬剤である移動流体内に気体や空気が含まれていたとしても定量ポンプ１１の圧縮動作を行うことができる。従って、気体や空気を除去するための電磁弁を必要とせず、しかも薬剤が系外に排出されることを防止しつつ定量ポンプ１１を運転できる。
【００３０】
次に、本発明の第２実施形態を説明する。図３は本発明の第２の実施形態に係る定量ポンプの運転装置の一例の構成図である。この第２実施形態は、図１に示した第１実施形態に対し、定量ポンプ１１の吐出圧力を検出する吐出圧力検出器２３を追加して設け、起動制御手段２０は、定量ポンプ１１の起動時には、通常時起動手段２１を動作させ、それでも、吐出圧力検出器２３で検出された吐出圧力が所定圧力未満であるときは、不具合時駆動手段２２を動作させ、その後に通常時駆動手段２１を動作させるようにしたものである。図１と同一要素には、同一符号を付し重複する説明は省略する。
【００３１】
起動制御手段２０は、操作卓１９から起動指令があると、まず、通常時起動手段２１を動作させる。そして、起動制御手段２０は、通常時起動手段２１を動作させた後の次のタイミングで、吐出圧力検出器２３で検出された吐出圧力が所定圧力を満たしているか否かを判定する。所定圧力はポンプ圧縮動作により薬剤が所定量を吐出できる圧力である。定量ポンプ１１の吐出圧力が所定圧力未満であるときは、起動制御手段２０は、不具合時駆動手段２２を動作させる。
【００３２】
図４は、第２実施形態における制御装置１８の運転制御による定量ポンプ１１のストローク量の変化の一例の説明図である。いま、時点ｔ１で操作卓１９から定量ポンプ１１の起動指令があったとすると、起動制御手段２０は、まず、通常時駆動手段２１を起動する。従って、通常時駆動手段２１により定量ポンプ１１のストローク量は通常時ストローク量Ｓ０となる。
【００３３】
そして、起動制御手段２０は、次の運転制御タイミングの時点ｔ２において、吐出圧力検出器２３で検出された吐出圧力が所定圧力Ｐ０であるか否かを判定し、吐出圧力が所定圧力Ｐ０であるときは、ポンプ圧縮動作により薬剤が所定量を吐出している状態であるので、起動制御手段２０は通常時駆動手段２１の動作を継続する。
【００３４】
図５は、第２実施形態における制御装置１８の運転制御による定量ポンプ１１のストローク量の変化の他の一例の説明図である。この一例は、図４に示した一例に対し、時点ｔ２において、吐出圧力検出器２３で検出された吐出圧力が所定圧力Ｐ０未満の場合を示している。時点ｔ２において、吐出圧力が所定圧力Ｐ０未満であるので、起動制御手段２０は、通常時駆動手段２１から不具合時駆動手段２２に運転制御を切り替える。これにより、定量ポンプ１１のストローク量は、時点ｔ２において不具合時ストローク量Ｓ１となる。そして、起動制御手段２０は、次の運転制御タイミングの時点ｔ３において、不具合時駆動手段２２から通常時駆動手段２１に運転制御を切り替える。これにより、定量ポンプ１１のストローク量は、時点ｔ３以降は、通常時ストローク量Ｓ０に維持される。
【００３５】
このように、起動時制御手段２０は、定量ポンプ１１の起動時に通常時駆動手段２１を駆動し、定量ポンプ１１の吐出圧力が所定圧力Ｐ０になったときは、そのまま通常時駆動手段２１での運転制御を行い、定量ポンプ１１の吐出圧力が所定圧力Ｐ０にならなかったときは、不具合時駆動手段２２での運転を行ってから通常時駆動手段２１による運転に切り替える。これにより、定量ポンプ１１が通常運転を行えるようにする。
【００３６】
以上の説明では、定量ポンプ１１の吐出圧力を検出する吐出圧力検出器２３を設け、定量ポンプ１１の吐出圧力が所定圧力になったときは、ポンプ圧縮動作により薬剤が所定量を吐出している状態であると判断するようにしたが、吐出圧力検出器２３に代えて、図６に示すように、定量ポンプ１１を駆動する電動機１２の駆動電流を検出する電流検出器２４を設け、起動制御手段２０は、電流検出器２４で検出された駆動電流が所定電流未満であるときは不具合時駆動手段２２を動作させるようにしてもよい。
【００３７】
第２実施形態によれば、気体や空気が移動流体に含まれているときだけ不具合時ストローク量Ｓ１で駆動できるので、気体や空気が移動流体に含まれていないときに無駄に薬剤を移送先の系統に移送することを防止できる。
【００３８】
次に、本発明の第３実施形態を説明する。図７は本発明の第３の実施形態に係る定量ポンプの運転装置の一例の構成図である。この第３実施形態は、図３に示した第２実施形態に対し、不具合時駆動手段２２に代えて、通常時ストローク量を段階的に微増させた可変ストローク量で定量ポンプ１１を駆動する可変駆動手段２５を設け、起動制御手段２０は、定量ポンプ１１の起動時には通常時起動手段２１を動作させ、吐出圧力検出器２３で検出された吐出圧力が所定圧力未満であるときは、吐出圧力検出器２３で検出された吐出圧力が所定圧力以上となるまで可変駆動手段２５を動作させ、その後に通常時駆動手段２１を動作させるようにしたものである。図１と同一要素には、同一符号を付し重複する説明は省略する。
【００３９】
起動制御手段２０は、操作卓１９から起動指令があると、まず、通常時起動手段２１を動作させる。そして、起動制御手段２０は、通常時起動手段２１を動作させた後の次のタイミングで、吐出圧力検出器２３で検出された吐出圧力が所定圧力を満たしているか否かを判定する。定量ポンプ１１の吐出圧力が所定圧力未満であるときは、起動制御手段２０は、可変駆動手段２５を動作させ、次のタイミングで、吐出圧力検出器２３で検出された吐出圧力が所定圧力を満たしているか否かを判定する。これを繰り返し行い、吐出圧力検出器２３で検出された吐出圧力が所定圧力以上となると、通常時駆動手段２１を動作させる。
【００４０】
図８は、第３実施形態における制御装置１８の運転制御による定量ポンプ１１のストローク量の変化の一例の説明図である。いま、時点ｔ１で操作卓１９から定量ポンプ１１の起動指令があったとすると、起動制御手段２０は、まず、通常時駆動手段２１を起動する。従って、通常時駆動手段２１により定量ポンプ１１のストローク量は通常時ストローク量Ｓ０となる。
【００４１】
そして、起動制御手段２０は、次の運転制御タイミングの時点ｔ２において、吐出圧力検出器２３で検出された吐出圧力が所定圧力Ｐ０を満たしているか否かを判定する。この判定で、定量ポンプ１１の吐出圧力が所定圧力Ｐ０になったときは、そのまま通常時駆動手段２１での運転制御を行う。
【００４２】
一方、図８に示すように、時点ｔ２において、吐出圧力が所定圧力Ｐ０未満であるときは、起動制御手段２０は、通常時駆動手段２１から可変駆動手段２５に運転制御を切り替える。これにより、定量ポンプ１１のストローク量は、時点ｔ２において通常時ストローク量を１段階だけ微増させた１段階可変ストローク量Ｓａ１となる。
【００４３】
次に、起動制御手段２０は、次の運転制御タイミングの時点ｔ３において、吐出圧力検出器２３で検出された吐出圧力が所定圧力Ｐ０を満たしているか否かを判定する。図８では、吐出圧力が所定圧力Ｐ０未満であるので、起動制御手段２０は、再度、可変駆動手段２５を起動する。これにより、定量ポンプ１１のストローク量は、時点ｔ３において通常時ストローク量を２段階だけ微増させた２段階可変ストローク量Ｓａ２となる。
【００４４】
さらに、起動制御手段２０は、次の運転制御タイミングの時点ｔ４において、吐出圧力検出器２３で検出された吐出圧力が所定圧力Ｐ０を満たしているか否かを判定する。図８では、吐出圧力はまだ所定圧力Ｐ０未満であるので、起動制御手段２０は、再々度、可変駆動手段２５を起動する。これにより、定量ポンプ１１のストローク量は、時点ｔ４において通常時ストローク量を３段階だけ微増させた３段階可変ストローク量Ｓａ３となる。
【００４５】
同様に、起動制御手段２０は、次の運転制御タイミングの時点ｔ５において、吐出圧力検出器２３で検出された吐出圧力が所定圧力Ｐ０を満たしているか否かを判定する。図８では、吐出圧力が所定圧力Ｐ０を満たしているので、起動制御手段２０は、可変駆動手段２５から通常時駆動手段２１に運転制御を切り替える。これにより、定量ポンプ１１のストローク量は、時点ｔ５以降は、通常時ストローク量Ｓ０に維持される。これにより、定量ポンプ１１が通常運転を行えるようにする。
【００４６】
以上の説明では、定量ポンプ１１の吐出圧力を検出する吐出圧力検出器２３を設け、定量ポンプ１１の吐出圧力が所定圧力になったときは、ポンプ圧縮動作により薬剤が所定量を吐出している状態であると判断するようにしたが、吐出圧力検出器２３に代えて、図９に示すように、定量ポンプ１１を駆動する電動機１２の駆動電流を検出する電流検出器２４を設け、起動制御手段２０は、電流検出器２４で検出された駆動電流が所定電流未満であるときは可変駆動手段２５を動作させるようにしてもよい。
【００４７】
第３実施形態によれば、起動時制御手段２０は、定量ポンプ１１の起動時に通常時駆動手段２１を駆動し、定量ポンプ１１の吐出圧力が所定圧力Ｐ０になったときは、そのまま通常時駆動手段２１での運転制御を行い、一方、定量ポンプの吐出圧力が所定圧力Ｐ０未満であるときは、定量ポンプ１１の吐出圧力が所定圧力以上となるまで、通常時ストローク量を段階的に微増させた可変ストローク量で定量ポンプを駆動する。従って、移動流体である薬剤に含まれた気体や空気の量に応じて定量ポンプ１１の吐出圧力が所定圧力になるように運転でき、また、無駄に薬剤を移送先の系統に移送することを防止できる。
【符号の説明】
【００４８】
１１…定量ポンプ、１２…電動機、１３…薬剤タンク、１４…配管、１５…吸込口、１６…吐出口、１７…送り出し配管、１８…制御装置、１９…操作卓、２０…起動制御手段、２１…通常時駆動手段、２２…不具合時起動手段、２３…吐出圧力検出器、２４…電流検出器、２５…可変駆動手段
【図１】
2012207571.tif 000003
【図２】
2012207571.tif 000004
【図３】
2012207571.tif 000005
【図４】
2012207571.tif 000006
【図５】
2012207571.tif 000007
【図６】
2012207571.tif 000008
【図７】
2012207571.tif 000009
【図８】
2012207571.tif 000010
【図９】
2012207571.tif 000011